(57)【特許請求の範囲】
【請求項１】
電源としての電池と、
エミッタ端子が前記電池の負極と接続されるＮＰＮ型のトランジスタと、
一次巻線側の一方の端子が前記電池の正極と、他方の端子が前記トランジスタのコレクタ端子にそれぞれ接続され、二次巻線側の一方の端子がダイオードに、他方の端子が前記トランジスタのベース端子にそれぞれ接続された発振トランスと、
前記発振トランスの二次巻線側に接続されたメインコンデンサと、
前記メインコンデンサと並列に接続されたトリガーコンデンサと、
放電管と、を有し、
前記トランジスタのベース側と、前記メインコンデンサの陽極側及び陰極側と、前記トリガーコンデンサの前記メインコンデンサと接続していない側に、付加回路を付与するための端子が設けられたストロボ用回路基板を有することを特徴とするストロボユニット。
【請求項２】
前記メインコンデンサの陽極側及び陰極側と、前記トリガーコンデンサの前記メインコンデンサと接続していない側の端子を介して、前記放電管の発光時間を制御する調光回路が付与されることを特徴とする請求項１に記載のストロボユニット。
【請求項３】
前記トランジスタのベース側と、前記メインコンデンサの陽極側及び陰極側の端子を介して、前記メインコンデンサの充電が完了すると自動的に充電を停止させる自動充電停止回路が付与されることを特徴とする請求項１に記載のストロボユニット。
【請求項４】
前記メインコンデンサの陽極側と、前記トリガーコンデンサの前記メインコンデンサと接続していない側の端子を介して、被写体輝度に応じて前記放電管を発光させたり、発光させなかったりする自動発光回路が付与されることを特徴とする請求項１に記載のストロボユニット。
【発明の詳細な説明】
【０００１】
【発明の属する技術分野】
本発明は、基本となる部品を共通にした上で、機能や性能を異ならせたストロボユニットに関する。
【０００２】
【従来の技術】
レンズ付きフィルムユニット等において、各種のユーザーの要望に応えるために仕様を異ならせた多種の製品を製造することがある。この場合、ストロボの仕様についても同様であり、通常に充電して発光する基本機能を有するストロボだけでなく、撮影距離に応じて発光途中で発光を停止してストロボ発光量を変化させる調光ストロボや、充電が完了すると充電が自動的に停止する自動充電停止回路を有するストロボや、所定の輝度以下のときのみ発光する自動発光回路を有するストロボ等を適宜内蔵させることが検討されている。
【０００３】
また、撮影レンズの焦点距離を変えると、これに応じて発光部の配光特性を変える必要がある。また、内蔵するフィルムの感度を変えたり、撮影レンズの開放Ｆ値を変えたりすると、これに応じてメインコンデンサの容量を変えてガイドナンバーを変えることがある。更に、ガイドナンバーを変えると、電源となる電池も変えることがある。
【０００４】
【発明が解決しようとする課題】
前述のように、仕様を異ならせた多種のストロボを独自に製造すると、複数の製造ラインが必要となり、管理工数が増大する。しかも、品種によって製造数が少なかったりすると、非効率な製造となって原価高になる。
【０００５】
本発明はかかる問題に鑑みてなされたものであり、基本となるストロボユニットに所定の回路を付加して簡単により高機能にすることができるストロボユニットを提案することを目的とする。
【０００６】
【課題を解決するための手段】
上記の目的は下記の何れかの手段によって達成される。
【０００７】
（１）電源としての電池と、
エミッタ端子が前記電池の負極と接続されるＮＰＮ型のトランジスタと、一次巻線側の一方の端子が前記電池の正極と、他方の端子が前記トランジスタのコレクタ端子にそれぞれ接続され、二次巻線側の一方の端子がダイオードに、他方の端子が前記トランジスタのベース端子にそれぞれ接続された発振トランスと、前記発振トランスの二次巻線側に接続されたメインコンデンサと、前記メインコンデンサと並列に接続されたトリガーコンデンサと、放電管と、を有し、前記トランジスタのベース側と、前記メインコンデンサの陽極側及び陰極側と、前記トリガーコンデンサの前記メインコンデンサと接続していない側に、付加回路を付与するための端子が設けられたストロボ用回路基板を有することを特徴とするストロボユニット。
【０００８】
（２）前記メインコンデンサの陽極側及び陰極側と、前記トリガーコンデンサの前記メインコンデンサと接続していない側の端子を介して、前記放電管の発光時間を制御する調光回路が付与されることを特徴とする（１）に記載のストロボユニット。
【０００９】
（３）前記トランジスタのベース側と、前記メインコンデンサの陽極側及び陰極側の端子を介して、前記メインコンデンサの充電が完了すると自動的に充電を停止させる自動充電停止回路が付与されることを特徴とする（１）に記載のストロボユニット。
【００１０】
（４）前記メインコンデンサの陽極側と、前記トリガーコンデンサの前記メインコンデンサと接続していない側の端子を介して、被写体輝度に応じて前記放電管を発光させたり、発光させなかったりする自動発光回路が付与されることを特徴とする（１）に記載のストロボユニット。
【００１７】
【発明の実施の形態】
［第１の実施の形態］
本実施の形態は、ストロボの基本回路を備えたストロボ用回路基板に、各種の付加回路を備えた付加回路用回路基板を装着可能とし、撮影距離に応じて発光途中で発光を停止してストロボ発光量を変化させる調光方式のストロボユニット、充電が完了すると充電が自動的に停止する自動充電停止方式のストロボユニット、または所定の輝度以下のときのみ発光する自動発光方式のストロボユニットとすることである。
【００１８】
以下に、図１乃至図５を参照して説明する。図１はストロボユニットを前方から見た斜視図、図２はストロボの基本回路図、図３は調光方式の付加回路を付加した回路図、図４は自動充電停止方式の付加回路を付加した回路図、図５は自動発光方式の付加回路を付加した回路図である。
【００１９】
図１のストロボユニットにおいて、１１は電源の電圧を昇圧する昇圧回路や、放電管の発光を開始させる発光回路等のストロボの基本回路部品を実装したストロボ用回路基板である。ストロボ用回路基板１１の後方にて、後述する付加回路部品を実装した付加回路用回路基板１２を、４本の導電性を有する接続部材１３により保持している。１４は放電管、反射傘、ストロボパネル等からなる発光部であって、ストロボ用回路基板１１に装着されている。１５はメインコンデンサであって、２本のリードでストロボ用回路基板１１に実装されている。
【００２０】
なお、接続部材１３は付加回路用回路基板１２を保持し、且つ必要に応じて双方の回路基板に設けた導電性パターンを互いに導通させるものであれば、棒材、ワイヤー、板材等でよい。
【００２１】
また、付加回路用回路基板１２には必要に応じて受光素子１６が実装されていて、ストロボ用回路基板１１には受光素子１６の光線を通過させるための切り欠き１６ａが設けられている。
【００２２】
また、ストロボ用回路基板１１に付加回路用回路基板１２が必ずしも平行に装着されていなくてもよく、場合によっては直角等の姿勢で装着されていてもよい。但し、この場合は接続部材を屈曲した形状にしたり、接続部材の先端部側壁を付加回路用回路基板１２に当接させたりすることになる。
【００２３】
また、ストロボ用回路基板１１及び付加回路用回路基板１２は、紙フェノールやガラスエポキシ等からなるハードなプリント配線基板であってもよいし、ポリエステル等からなるフレキシブルなプリント配線基板であってもよい。
【００２４】
次に、図２に基づきストロボの基本回路を説明する。
外部操作によりメインスイッチＳ1をオンにすると、発光禁止スイッチＳ2も連動してオンになり、電池Ｂの電流が抵抗Ｒ1を介してトランジスタＴRに流れて発振が開始し、発振トランスＴの二次側は高圧に昇圧される。この二次側の電流をダイオードＤによって整流することで３００〜３５０Ｖの直流高電圧を得て、メインコンデンサＣM、及び抵抗Ｒ3と直列に接続したトリガーコンデンサＣTを充電する。メインコンデンサＣMが所定の電圧に充電されると、抵抗Ｒ2と直列に接続された発光ダイオードＤLが点灯する。
【００２５】
撮影のときにはシャッタ羽根の開放動作に連動してトリガースイッチＳTがオンになる。これによって、トリガーコンデンサＣT、トリガースイッチＳT、トリガートランスＴCの一次側巻線、及び発光禁止スイッチＳ2を直列に接続した閉回路が形成され、トリガーコンデンサＣTに充電されていた電荷がトリガートランスＴCの一次側に放電する。この結果、トリガートランスＴCの二次側には更なる高圧が発生し、放電管Ｘｅのトリガー電極に印加されるので、放電管Ｘｅの中のイオン化されたキセノン原子が陰極より飛び出した電子と衝突して励起され、メインコンデンサＣMの放電に伴って放電管Ｘｅは発光する。
【００２６】
以上の回路はストロボ用回路基板１１に実装されており、付加回路用回路基板１２と接続部材１３によって接続する接続端子をａ，ｂ，ｃ，ｄと表す。接続端子ａはメインコンデンサＣMの陰極側にあり、接続端子ｂはトランジスタＴRのベース側にあり、接続端子ｃはトリガーコンデンサＣTにおけるメインコンデンサＣMと接続していない側にあり、接続端子ｄはメインコンデンサＣMの陽極側にある。
【００２７】
なお、上述の如くストロボ用回路基板１１のみでもストロボの回路は充分に作動するので、最も簡素なストロボユニットには付加回路用回路基板１２と接続部材１３とが装着されておらず、図２の回路図においては接続端子ａ，ｂ，ｃ，ｄは浮いた状態になっている。
【００２８】
次に、付加回路として調光回路を設けた回路図を図３により説明する。
図３においては、調光回路を付加回路用回路基板１２に設けてある。トリガースイッチＳTがオンになると、メインコンデンサＣMの電荷の一部がトリガートランスＴCの一次側及びトリガースイッチＳTを通って電流ｉ1となって接続端子ｃと接続した抵抗Ｒ11に流れる。また、トリガーコンデンサＣTが放電した後、メインコンデンサの電荷の一部がトリガーコンデンサＣTを充電すべく電流ｉ2となって抵抗Ｒ11に流れる。本実施の形態においては抵抗Ｒ12の側をカソードとしたツェナーダイオードＤ11が抵抗Ｒ11，Ｒ12と直列に接続されているので、ツェナーダイオードＤ11には電流ｉ1と電流ｉ2とを加えた電流ｉが流れる。
【００２９】
ここで、互いに直列に接続されたフォトトランジスタＰTとコンデンサＣPとが、アノードを接続端子ａに接続したツェナーダイオードＤ11と並列に接続されている。フォトトランジスタＰTは図１の受光素子１６に相当し、被写体にて反射したストロボ光を受光する。フォトトランジスタＰTとコンデンサＣPとの接続部分は抵抗Ｒ13を介してトランジスタＴRPのベースと接続され、トランジスタＴRPのエミッタがサイリスタＴｈ1のゲートに接続されている。サイリスタＴｈ1は一端を接続端子ｄに接続したバイパス用のチョークコイルＣCと直列に接続され、これらは放電管Ｘｅと並列に接続されている。
【００３０】
従って、サイリスタＴｈ1がオンになると、放電管Ｘｅに流れる電流よりも大電流でチョークコイルＣCに電流が流れてメインコンデンサＣMの電荷は急速に消費され、放電管Ｘｅの発光が停止されるようになっている。
【００３１】
ツェナーダイオードＤ11に電流ｉが流れ、ツェナーダイオードＤ11の両端にツェナー電圧が生じると、被写体の反射光に応じてフォトトランジスタＰTに電流が流れる。撮影距離が近距離であれば被写体によって反射したストロボ光は強くなり、フォトトランジスタＰTに流れる電流は大きくなるので、コンデンサＣPの充電は早くなる。一方、撮影距離が遠距離であれば被写体によって反射したストロボ光は弱くなり、フォトトランジスタＰTに流れる電流は小さくなり、コンデンサＣPの充電は遅くなる。
【００３２】
この結果、近距離であれば、トランジスタＴRPはオンになるのが早く、サイリスタＴｈ1もオンになるのが早いので、放電管Ｘｅの発光途中でメインコンデンサＣMの電荷が急速にチョークコイルＣCにより消費されて、放電管Ｘｅの発光は早めに停止する。一方、遠距離であれば、トランジスタＴRPはオンになるのが遅く、サイリスタＴｈ1もオンになるのが遅いので、放電管Ｘｅは遅めに発光停止する。従って、絞りが一定であっても撮影距離に応じて被写体からの反射光が変化してストロボの総発光量が変化するので、撮影距離が変化しても略一定の露光量が得られる。
【００３３】
なお、トリガースイッチＳTがオンになったときにチャタリングが発生し、動作が不安定になるので、この防止のためにサイリスタＴｈ2が設けられている。
【００３４】
また、本回路においては接続端子ｂのみが浮いた状態である。
次に、付加回路として自動充電停止回路を設けた回路図を図４により説明する。
【００３５】
図４においては、自動充電停止回路を付加回路用回路基板１２に設けてある。メインコンデンサＣMの充電電圧が、アノード側を接続端子ａに接続したツェナーダイオードＤ21のツェナー電圧（例えば３００〜３５０Ｖ）に達すると、接続端子ｄと接続したトランジスタＴ21のコレクタを通して電流が流れ、トランジスタＴ21がオンとなる。これに伴い、トランジスタＴRのベース電圧が下がり、トランジスタＴRの発振が停止し、メインコンデンサＣMへの充電が停止する。なお、トランジスタＴ21のエミッタ側は接続端子ｂに接続されており、接続端子ｃは浮いている。また、本付加回路においては受光素子１６に相当する部品はない。
【００３６】
このように、所定の電圧に充電されると、自動的にメインコンデンサＣMへの充電が停止するので、電池Ｂの消耗が少なくなる。
【００３７】
次に、付加回路として自動発光回路を設けた回路図を図５により説明する。
図５は、自動発光回路を付加回路用回路基板１２に設けてある。本付加回路においては、受光素子１６に相当するＣｄＳセルＣｄと、抵抗Ｒ31とが直列に接続され、ＣｄＳセルＣｄの一端が接続端子ｄと接続され、抵抗Ｒ31の一端が接続端子ｃと接続されている。また、接続端子ａ，ｂは浮いている。
【００３８】
被写体輝度が高輝度のときは、ＣｄＳセルＣｄの抵抗が減少して流れる電流が大きくなり、トリガーコンデンサＣTに充電されている電荷が放電される。従って、トリガースイッチＳTがオンしても放電管Ｘｅは発光しない。
【００３９】
一方、被写体輝度が低輝度のときは、ＣｄＳセルＣｄの抵抗が増大して流れる電流が小さくなり、トリガーコンデンサＣTに充電されている電荷が放電されることはない。
【００４０】
従って、被写体輝度が高輝度のときには放電管Ｘｅは発光せず、低輝度のときには放電管Ｘｅは発光する。
【００４１】
なお、以上の３種の付加回路用電気部品を付加回路用回路基板に実装したものとして説明したが、必ずしもこれに限定されるものではなく、付加回路用電気部品をパッケージ化して一体化し、これをストロボ用回路基板に装着してもよい。
【００４２】
［第２の実施の形態］
本実施の形態は、ストロボの基本回路を備えたストロボ用回路基板に、各種の主要部品を交換して装着し、異なる性能のストロボユニットを製造するものである。
【００４３】
図６はストロボユニットを後方から見た斜視図である。
２１は電源の電圧を昇圧する昇圧回路や、放電管の発光を開始させる発光回路等のストロボの回路部品を実装したストロボ用回路基板でる。３１は放電管、反射傘、ストロボパネル等からなる発光部であり、その配光特性は標準レンズの画角に対応している。そして、発光部３１はストロボ用回路基板２１に装着されている。
【００４４】
ここで、広角レンズを装着し、他の部品の変更を最小限度にして新たなレンズ付きフィルムユニットを製造したい場合がある。この場合には、発光部の配光特性は広角レンズに対応して広角にする必要がある。そこで、少なくとも反射傘を変更し、広角レンズに対応した配光特性を有する発光部３２を準備しておき、発光部３１に代えて発光部３２をストロボ用回路基板２１に装着することにより、異なる性能のストロボユニットを同一工程で製造することができる。
【００４５】
なお、これは一例であって、発光部３１と発光部３２との配光特性が異なれば、どのような配光特性であってもよい。
【００４６】
また、３３はメインコンデンサであり、ストロボ用回路基板２１に実装されている。より高感度のフィルムを内蔵したり、Ｆナンバーの明るい撮影レンズを用いたりしたときは、より容量の少ないメインコンデンサを用い、充電時間を短くしたり、原価低減したりすることができる。そこで、メインコンデンサ３３に代えて容量の小さいメインコンデンサ３４を実装することにより、異なる性能のストロボユニットを同一工程で製造することができる。
【００４７】
なお、異なる容量のメインコンデンサを実装するようにすれば、どのような容量のメインコンデンサでもよいが、２本のリードをストロボ用回路基板２１に設けた孔に挿入して半田付けするので、２本のリードの太さ及びピッチは同一であることが望ましい。
【００４８】
また、２２は負極用電池接片、３５は正極用電池接片であって、一端がそれぞれストロボ用回路基板２１に実装されている。そして、負極用電池接片２２と正極用電池接片３５とによって単三型乾電池Ｂ３が保持されている。
【００４９】
ここで、容量の小さいメインコンデンサ３４を実装すると、単三型乾電池Ｂ３を用いずに、より容量の小さい単四型乾電池を用いることができる。そこで、正極用電池接片３５をより長さの短い正極用電池接片３６に取り替えて、負極用電池接片２２と正極用電池接片３６とによって単四型乾電池Ｂ４を保持するようにすることもできる。従って、正極用電池接片３５と正極用電池接片３６との交換のみで単三型乾電池Ｂ３から単四型乾電池Ｂ４に交換でき、異なる性能のストロボユニットを同一工程で製造することができる。
【００５０】
なお、場合によっては単五型乾電池を保持できる正極用電池接片を準備してもよい。
【００５１】
また、交換する電池接片は必ずしも正極用電池接片である必要はなく、一定の正極用電池接片を用い、負極用電池接片の方を適宜交換するようにしてもよい。
【００５２】
以上の如く説明したストロボユニットを装着する本体は、レンズ付きフィルムユニットの本体でもよいし、フィルム交換が可能な一般のカメラの本体でもよいし、更にデジタルカメラの本体であってもよい。
【００５３】
【発明の効果】
請求項１〜４のいずれかに記載のストロボユニットによれば、基本となるストロボユニットに所定の回路を付加して、より高機能で異なる機能のストロボユニットを簡単に製造することができ、しかも共通部品が多いので同一の製造ラインで安価に製造することができる。
【図面の簡単な説明】
【図１】第１の実施の形態におけるストロボユニットを前方から見た斜視図である。
【図２】ストロボの基本回路図である。
【図３】調光方式の付加回路を付加した回路図である。
【図４】自動充電停止方式の付加回路を付加した回路図である。
【図５】自動発光方式の付加回路を付加した回路図である。
【図６】第２の実施の形態におけるストロボユニットを後方から見た斜視図である。
【符号の説明】
１１  ストロボ用回路基板
１２  付加回路用回路基板
１３  接続部材
１４，３１，３２  発光部
１５，３３，３４，ＣM  メインコンデンサ
２２  負極用電池接片
３５，３６  正極用電池接片
Ｘｅ  放電管
Ｄ11，Ｄ21  ツェナーダイオード
ＰT  フォトトランジスタ
ＣC  チョークコイル
Ｃｄ  ＣｄＳセル
【図１】
0003997679.tif 000002
【図２】
0003997679.tif 000003
【図３】
0003997679.tif 000004
【図４】
0003997679.tif 000005
【図５】
0003997679.tif 000006
【図６】
0003997679.tif 000007